【手続補正書】
【提出日】平成23年4月15日(2011.4.15)
【手続補正１】
【補正対象書類名】特許請求の範囲
【補正対象項目名】全文
【補正方法】変更
【補正の内容】
【特許請求の範囲】
【請求項１】
患者の体内に配置された埋め込み型医療機器（ＩＭＤ）に音響エネルギを送達する音響エネルギ送達システムであって、該システムは、
電源と少なくとも１つの音響変換器とを含むＩＭＤと、
該ＩＭＤの電源を充電するための音響エネルギを送達するように構成されたエネルギ送達装置であって、該エネルギ送達装置はコントローラと、該コントローラに電気的に結合された超音波素子のアレイとを含み、該超音波素子は該コントローラに結合され、該体を通って該ＩＭＤに音響信号を送信するように構成されている、エネルギ送達装置と
を含み、
該コントローラは、該ＩＭＤの少なくとも１つの超音波変換器によって送信され、該超音波素子のアレイによって受信された１つ以上の音響フィードバック信号に、少なくとも部分的に基づいて、該体内の音響信号を操作するために、該アレイの１つ以上の超音波素子を選択的に制御するように構成されている、
システム。
【請求項２】
前記超音波素子のうちの少なくとも１つは、音響レンズあるいはミラーを含む、請求項１に記載のシステム。
【請求項３】
前記超音波素子のアレイは、支持構造の上に配置されている、請求項１に記載のシステム。
【請求項４】
前記超音波素子のアレイは、装着可能な衣服あるいは携帯装置上に配置されている、請求項１に記載のシステム。
【請求項５】
前記音響信号は、約２０ｋＨｚと約２００ｋＨｚとの間の周波数を有する、請求項１に記載のシステム。
【請求項６】
前記音響信号は、約４０ｋＨｚの周波数を有する、請求項１に記載のシステム。
【請求項７】
前記アレイは、多角形の、円形の、環状の、対称的な、あるいは、非対称的な構成を有する、請求項１に記載のシステム。
【請求項８】
患者の体内に配置された埋め込み型医療機器（ＩＭＤ）に音響エネルギを送達するエネルギ送達装置を制御する方法であって、該方法は、
１つ以上の音響信号を該ＩＭＤに送ることであって、該１つ以上の音響信号は、１つ以上の応答音響フィードバック信号を該エネルギ送達装置に送信するように該ＩＭＤに促すように構成される、ことと、
該エネルギ送達装置に結合された超音波素子のアレイにおいて、該１つ以上の応答音響フィードバック信号を受信することと、
該ＩＭＤによって送られた１つ以上の応答信号を処理することと、
該１つ以上の応答音響フィードバック信号に少なくとも部分的に基づいて、該エネルギ送達装置に結合された超音波素子のアレイを動作させることであって、該超音波素子はコントローラに電気的に結合されており、該ＩＭＤに音響エネルギを送達するために、音響信号を出力するように構成されている、ことと
を含む、方法。
【請求項９】
前記アレイを動作させることは、前記超音波素子を約２０ｋＨｚと約２００ｋＨｚとの間の周波数で動作させることを含む、請求項８に記載の方法。
【請求項１０】
前記アレイを動作させることは、前記超音波素子を同相で動作させることを含む、請求項８に記載の方法。
【請求項１１】
前記アレイを動作させることは、適合するビーム形成、ビームステアリング、あるいは、ビーム整形の任意の組み合わせを用いて、前記音響信号を操作することを含む、請求項８に記載の方法。
【請求項１２】
前記アレイを動作させることは、時間反転技術を用いて前記音響信号を操作することを含む、請求項８に記載の方法。
【請求項１３】
前記方法は、前記応答音響フィードバック信号の信号振幅の変化あるいは信号効率を検出することをさらに含み、前記アレイを動作させることは、該変化した信号振幅あるいは信号効率に応答して、該アレイを動作させることを含む、請求項８に記載の方法。
【請求項１４】
前記アレイを動作させることは、前記患者の体内の所望の深さに、前記音響信号を機械的に集中させることを含む、請求項８に記載の方法。
【請求項１５】
前記アレイを動作させることは、該アレイの１つ以上の超音波素子を循環させることを含む、請求項８に記載の方法。
【手続補正２】
【補正対象書類名】明細書
【補正対象項目名】０００７
【補正方法】変更
【補正の内容】
【０００７】
複数の実施形態が開示されているが、なおも、本発明の他の実施形態が、本発明の例示的実施形態を示し述べる以下の詳細な記述から、当業者には明白になるであろう。従って、図面と詳細な説明は、例示的でありなんらの限定ではないとみなされるべきである。
例えば、本発明は以下の項目を提供する。
（項目１）
患者の体内に配置された埋め込み型医療機器（ＩＭＤ）に音響エネルギを送達する音響エネルギ送達システムであって、該システムは、
電源と少なくとも１つの音響変換器とを含むＩＭＤと、
エネルギ送達装置であって、該エネルギ送達装置はコントローラと超音波素子のアレイとを含み、該超音波素子は該コントローラに結合され、該体を通って該ＩＭＤに該音響信号を送信するように構成されている、エネルギ送達装置と
を含み、
該コントローラは、該体内の音響信号を操作するために、該アレイの１つ以上の超音波素子を選択的に制御するように構成されている、
システム。
（項目２）
上記超音波素子のうちの少なくとも１つは、音響レンズあるいはミラーを含む、項目１に記載のシステム。
（項目３）
上記超音波素子のアレイは、支持構造の上に配置されている、項目１に記載のシステム。
（項目４）
上記超音波素子のアレイは、装着可能な衣服あるいは携帯装置上に配置されている、項目１に記載のシステム。
（項目５）
上記音響信号は、約２０ｋＨｚと約２００ｋＨｚとの間の周波数を有する、項目１に記載のシステム。
（項目６）
上記音響信号は、約４０ｋＨｚの周波数を有する、項目１に記載のシステム。
（項目７）
上記アレイは、多角形の、円形の、環状の、対称的な、あるいは、非対称的な構成を有する、項目１に記載のシステム。
（項目８）
上記コントローラは、上記ＩＭＤからのフィードバック信号に応答して、上記超音波素子のうちの１つ以上を制御するように構成されている、項目１に記載のシステム。
（項目９）
患者の体内に配置された埋め込み型医療機器（ＩＭＤ）に音響エネルギを送達するエネルギ送達装置を制御する方法であって、該方法は、
１つ以上の音響信号を該ＩＭＤに送ることと、
該ＩＭＤによって送られた１つ以上の応答信号を処理することと、
該１つ以上の応答信号に少なくとも部分的に基づいて、超音波素子のアレイを動作させることであって、該超音波素子は該エネルギ送達装置に結合されており、該超音波素子はコントローラに電気的に結合されており、該ＩＭＤに音響エネルギを送達するために、音響信号を出力するように構成されている、ことと
を含む、方法。
（項目１０）
上記アレイを動作させることは、上記超音波素子を約２０ｋＨｚと約２００ｋＨｚとの間の周波数で動作させることを含む、項目９に記載の方法。
（項目１１）
上記アレイを動作させることは、上記超音波素子を同相で動作させることを含む、項目９に記載の方法。
（項目１２）
上記アレイを動作させることは、適合するビーム形成、ビームステアリング、あるいは、ビーム整形の任意の組み合わせを用いて、上記音響信号を操作することを含む、項目９に記載の方法。
（項目１３）
上記アレイを動作させることは、時間反転技術を用いて上記音響信号を操作することを含む、項目９に記載の方法。
（項目１４）
上記方法は、上記応答信号の信号振幅の変化あるいは信号効率を検出することをさらに含み、上記アレイを動作させることは、該変化した信号振幅あるいは信号効率に応答して、該アレイを動作させることを含む、項目９に記載の方法。
（項目１５）
上記アレイを動作させることは、上記患者の体内の所望の深さに、上記音響信号を機械的に集中させることを含む、項目９に記載の方法。
（項目１６）
上記アレイを動作させることは、該アレイの１つ以上の超音波素子を循環させることを含む、項目９に記載の方法。
（項目１７）
上記アレイを動作させることは、単一の超音波素子あるいは該超音波素子のサブセットを動作させることを含む、項目９に記載の方法。
（項目１８）
上記音響信号を使用して、上記ＩＭＤのバッテリあるいはキャパシタを再充電することをさらに含む、項目９に記載の方法。
（項目１９）
上記音響信号を用いて、上記ＩＭＤに電力を与えることをさらに含む、項目９に記載の方法。
（項目２０）
患者の体内に配置された埋め込み型医療機器（ＩＭＤ）に音響エネルギを送達するエネルギ送達装置を制御する方法であって、該方法は、
ＩＭＤからエネルギ送達装置へ複数の試験パルスを送信することであって、該エネルギ送達装置は、コントローラに電気的に結合された超音波素子のアレイを含む、ことと、
該ＩＭＤを動作の充電モードに入れることと、
該アレイの該超音波素子上で該試験パルスを受信し、該超音波素子のうちの１つ以上を選択的に制御する用途のために、動作パラメータを計算することと、
該１つ以上の動作パラメータに少なくとも部分的に基づいて、音響信号を該体内に送信することと、
該ＩＭＤ内の電源を再充電することと
を含む、方法。